(57)【要約】【課題】装置が、現在、原稿読み取り中からプリント完了までのどの段階にあるのか常に確認し得る原稿読取記録装置を提供する。【解決手段】コピーキーが操作されると（ＳＴ１）、画像読取部９で原稿読み取り処理に入るとともに（ＳＴ２）、表示部７の画面に「読み取り中」を表示する（ＳＴ３）。読み取りが完了すると（ＳＴ４）、表示部７の画面に「読み取り完了」を表示する（ＳＴ５）。次に、画像記録部１０において、プリント準備の動作に入ると（ＳＴ６）、表示部７の画面に「プリント準備中」の表示を行う（ＳＴ７）。プリント処理を実行し、プリントが完了すると（ＳＴ８、ＳＴ９）、表示部７の画面に「プリント完了」を表示する（ＳＴ１０）。【選択図】      図２
2004159238.tif 000002
【特許請求の範囲】
【請求項１】
原稿読取部で、原稿を読み取り、画像記録部で動作準備終了後に、前記読み取り画像をプリントする原稿読取記録装置において、
原稿読み取り中、読み取り完了、プリント待ち、及びプリント完了の各段階で、その旨を明示的に表示するようにしたことを特徴とする原稿読取記録装置。
【請求項２】
表示部に、読み取り状況表示箇所を備え、読み取り完了時に、この読み取り状況表示箇所に、記録部が準備中である旨を表示するようにしたことを特徴とする請求項１記載の原稿読取記録装置。
【発明の詳細な説明】
【０００１】
【発明の属する技術分野】
この発明は、複写装置、ファクシミリ装置、複写機能・ファックス機能などの多機能を有する複合機などの原稿を読み取って記録し得る原稿読取記録装置に関する。
【０００２】
【従来の技術】
一般に、複写装置、ファクシミリ装置、複合機等においては、原稿読取部に原稿をセットし、スキャニング処理により原稿を読み取り、読み取り後、動作準備の出来た画像記録装置（プリンタ）により、原稿をプリントすることができる。
【０００３】
この種の画像記録装置において、従来、コピーの総記録枚数やトナー残量によって表示部を表示させる絵柄を変化させるものや、コピー機能利用中に、コピー枚数等の記録処理の進行状況に応じて、表示部に表示させる絵柄を変化させる技術が提案されている（例えば、特許文献１参照）。
【０００４】
【特許文献１】
特開２００１−２４８３５号公報
【０００５】
【発明が解決しようとする課題】
上記した従来の複写装置などの原稿読取記録装置では、原稿の読み取りから、プリントアウトまで一連の処理を実行するので、操作の手間が省ける反面、場合により、原稿を読み取り後、既にプリント準備が出来ているのか、現在準備中であるのか、といった状況把握が困難であり、読み取り段階で更にもう一度スタートキーを操作し、同じ原稿を２回読み取るなどの不都合を生じるおそれがあった。また、上記特許文献１に記載の技術では、多数枚のコピーを行う場合に、絵柄によりどの程度の枚数がコピーされたのか知ることができるが、今回読み取った１枚の原稿が原稿読み取り後、プリント完了までのどの段階にあるかを知ることができない。
【０００６】
この発明は上記問題点に着目してなされたものであって、装置が、現在、原稿読み取り中から、プリント完了までのどの段階にあるのかを常に確認し得る原稿読取記録装置を提供することを目的としている。
【０００７】
【課題を解決するための手段】
この発明の原稿読取記録装置は、原稿読取部で、原稿を読み取り、画像記録部で動作準備終了後に、前記読み取り画像をプリントする原稿読取記録装置において、原稿読み取り中、読み取り完了、プリント待ち、及びプリント完了の各段階で、その旨を明示的に表示するようにしている。
【０００８】
この発明の原稿読取記録装置では、原稿読み取りからプリント完了までの各段階で各段階にある旨を明示的に表示するので、オペレータは状態が把握できないまま、不要な操作を行うのを回避できる。
【０００９】
この発明の原稿読取記録装置においては、更に、表示部に、読み取り状況表示箇所を備え、読み取り完了時に、この読み取り状況表示箇所に、記録部が準備中である旨を表示するようにしても良い。
【００１０】
【発明の実施の形態】
以下、実施の形態により、この発明を更に詳細に説明する。図１に、この発明の実施形態原稿読取記録装置全体の概略構成を示すブロック図を示す。
【００１１】
この実施形態原稿読取記録装置は、ファクシミリ機能とコピー機能とを備えたいわゆるカラー複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１２】
主制御部（ＣＰＵ）６は、この装置を構成する各部を制御する機能を有する。ＮＣＵ１は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１３】
画像メモリ３は、受信画像データや画像読取部９で読み取った画像データを一時的に記憶する。ＲＡＭ４は、データ等を一時的に記憶する。ＲＯＭ５は、この装置を制御するためのプログラムを記憶する。表示部（ＬＣＤ）７は、アイコン、キーボタンの表示や、データの送受信に必要なメッセージ内容等を表示する。また、表示部７は、画像読取部９で原稿を読み取り、画像記録部１０でプリント（記録）出力するまでの、途中の各動作段階で「読み取り中」、「読み取り完了」、「プリント準備中」、「プリント完了」の各表示を行う。
【００１４】
操作部８は、ＦＡＸモード・コピーモード・スキャナモード等の複数の動作モードについてのモード切り替えを行うための動作モード切替キー、テンキー、ワンタッチキー、短縮キー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。
【００１５】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１５を介して、外部ＰＣに転送する。
【００１６】
次に、この実施形態複合機において、原稿コピー時の処理動作を図２に示すフロー図を参照して説明する。この処理ルーチンに入ると、ステップＳＴ１において、コピーキーが操作されたか否かを判定する。原稿が画像読取部９のＦＢＳ（Ｆｌａｔ  Ｂｅｄ  Ｓｃａｎｎｅｒ）上にセットされた状態で、コピーキーが操作されると、ステップＳＴ２へ移行する。
【００１７】
ステップＳＴ２においては、画像読取部９のＦＢＳにより原稿をスキャニングし、原稿読み取り処理を実行する。読み取りを実行しながらステップＳＴ３へ移行する。ステップＳＴ３においては、表示部７に「原稿読み取り中」を表示する。この時の表示部７の表示画面例を図３に示す。ここでは、次原稿の有無に関わらず、表示画面の上段第１行目に「読み取り中」を表示している。続いて、ステップＳＴ４へ移行する。ステップＳＴ４においては、原稿の読み取りを完了したか否かを判定する。読み取り完了の場合は、ステップＳＴ５へ移行する。一方、読み取り完了でない場合は、ステップＳＴ２へ移行する。そして、ステップＳＴ２〜ＳＴ４において、読み取りが完了するまで、原稿読み取りを実行するとともに「読み取り中」の表示を継続する。
【００１８】
ステップＳＴ５においては、表示部７に「読み取り完了」を表示する。この時の表示部７の表示画面例を図４に示す。ここでも、次原稿の有り無しに関わらず、原稿の読み取りが完了した時点で表示部７の画面の上段から第６行目に「読み取り完了」を表示している。次に、ステップＳＴ６へ移行する。ステップＳＴ６においては、プリント準備開始か否か判定する。画像記録部１０において、プリント動作のための準備に入ると、ステップＳＴ７へ移行する。一方、まだプリント準備に入っていない場合は、ステップＳＴ５へ戻り、「読み取り完了」の表示を継続する。ステップＳＴ７においては、表示部７に「プリント準備中」を表示する。この時の表示部７の表示画面例を図５に示す。ここでは、図５に示すように、プリント待ちの間は、アイコンを表示する。また、このアイコンの横に「プリント準備中」を表示する。次に、ステップＳＴ８へ移行する。
【００１９】
ステップＳＴ８においては、プリント準備が整ったので、画像記録部１０にてプリント処理に入る。続いて、ステップＳＴ９へ移行する。ステップＳＴ９においては、プリント完了か否かを判定する。プリント完了でない場合は、ステップＳＴ８へ戻り、プリントが完了するまで、プリント処理を継続する。プリントが完了すると、ステップＳＴ１０へ移行する。
【００２０】
ステップＳＴ１０においては、表示部７に「プリント完了」を表示する。この場合の表示部７の表示画面例を図６に示す。ここでは、次原稿の有り無しに関わらず、プリントが完了した時点で表示部７の画面の上段から第７行目に「プリント完了」を表示する。これにより、原稿の読み取り、表示及びプリント処理を終了する。
【００２１】
【発明の効果】
この発明によれば、原稿読み取り中、読み取り完了、プリント待ち、及びプリント完了の各段階で、その旨を明示的に表示するようにしているので、オペレータは動作がどの段階であるか知ることができ、同じ原稿を２度にわたり、読み取る等の不具合を回避することができる。
【図面の簡単な説明】
【図１】この発明の原稿読取記録装置の一実施形態である複合機の構成を示すブロック図である。
【図２】同実施形態複合機の原稿読み取り表示及びプリント処理を説明するフロー図である。
【図３】同実施形態複合機の表示部の「読み取り中」の表示画面例を示す図である。
【図４】同実施形態複合機の表示部の「読み取り完了」の表示画面例を示す図である。
【図５】同実施形態複合機の表示部の「プリンタ準備中」の表示画面例を示す図である。
【図６】同実施形態複合機の表示部の「プリント完了」の表示画面例を示す図である。
【符号の説明】
１        ＮＣＵ
２        ＭＯＤＥＭ
３        画像メモリ
４        ＲＡＭ
５        ＲＯＭ
６        主制御部
７        表示部
８        操作部
９        画像読取部
１０      画像記録部
１１      ＣＯＤＥＣ
１２      ＬＡＮＩ／Ｆ
１３      バス
【図１】
2004159238.tif 000003
【図２】
2004159238.tif 000004
【図３】
2004159238.tif 000005
【図４】
2004159238.tif 000006
【図５】
2004159238.tif 000007
【図６】
2004159238.tif 000008